【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
自律システムからプレフィックスエントリを収集する、収集工程と、
デジタルコンテンツのプレフィックスへの送信を求めるコンテンツ要求を、ホストサーバにおいて受信する工程と、
前記コンテンツ要求によって示された前記プレフィックスが前記自律システムから収集した前記プレフィックスエントリに挙げられていることに応答して、メッセージのインターネットプロトコル（ＩＰ）パケットに対して不透明ラベルを、前記ホストサーバにおいて生成する工程であって、前記不透明ラベルは、前記自律システムに対応し、前記コンテンツ要求の前記プレフィックスに基づく、工程と、
前記ＩＰパケットをネットワーク機器の出口インターフェースから転送する工程であって、前記出口インターフェースは、前記不透明ラベルに対応している、転送工程と、を含む、方法。
【請求項２】
前記不透明ラベルは、前記自律システムに直接的に接続された前記ネットワーク機器の前記出口インターフェースに対応している、請求項１に記載の方法。
【請求項３】
前記プレフィックスエントリを前記ネットワーク機器からオフラインで記憶する工程をさらに含む、請求項１に記載の方法。
【請求項４】
前記ネットワーク機器は、前記不透明ラベルと前記出口インターフェースとの間のマッピングを記憶する、請求項１に記載の方法。
【請求項５】
前記収集工程は、前記ネットワーク機器に対して透過性の経路収集サービスを通じて前記プレフィックスエントリを収集することを含む、請求項１に記載の方法。
【請求項６】
前記収集工程は、前記自律システムを前記プレフィックスに到達するためのデフォルト経路として示す完全なインターネット・ルーティング・テーブルを収集することを含む、請求項１に記載の方法。
【請求項７】
ネットワーク機器を通じてプレフィックスエントリを収集する工程と、
送信ネットワークトラフィックを監視することによってネットワーク条件が満たされて
いるか否かを判定する工程と、
前記ネットワーク条件に基づいて不透明ラベルを前記プレフィックスエントリの宛先プレフィックスに関連付ける、関連付け工程と、
前記宛先プレフィックスに向かうことになっているインターネットプロトコル（ＩＰ）パケットに、ホストサーバにおいて前記不透明ラベルを付ける工程であって、前記宛先プレフィックスが自律システムに対応するものとして前記プレフィックスエントリに挙げられているとき、前記不透明ラベルは、前記自律システムに対応する、工程と、
前記不透明ラベルに基づいて前記ネットワーク機器にある前記ＩＰパケットを転送する工程を含む、方法。
【請求項８】
送信ネットワークトラフィックの前記監視は、
前記ホストサーバ上のトラフィック・サンプリング・サービスを提供して、前記宛先プレフィックスからのトラフィックをサンプリングする工程と、
前記プレフィックスエントリとサンプリングされた前記トラフィックとを対にして、前記ホストサーバから前記宛先プレフィックスにどれだけのデータが送信されたかを判定する工程とを含む、請求項７に記載の方法。
【請求項９】
前記関連付け工程は、
前記宛先プレフィックスにどれだけのデータが送信されるかに基づいて第１自律システムを通るトラフィックの流れを担う前記宛先プレフィックスを選択する工程と、
前記宛先プレフィックスに到達でき前記第１自律システムより低いレイテンシを有する第２自律システムに対応する前記不透明ラベルを前記自律システムとして選択する工程とを含む、請求項８に記載の方法。
【請求項１０】
前記関連付け工程は、前記ネットワーク機器に接続されているホストサーバの全部ではなく一部にプログラムされ、前記ホストサーバは前記宛先プレフィックスにトラフィックを提供する、請求項９に記載の方法。
【請求項１１】
送信ネットワークトラフィックの前記監視は、第１自律システムの第１帯域幅使用割合と第２自律システムの第２帯域幅使用割合とを前記ネットワーク機器から推定する工程を含み、
前記ネットワーク条件は、前記第１帯域幅使用割合が所定のしきい値を超えるか否かである、請求項７に記載の方法。
【請求項１２】
前記関連付け工程は、前記第２帯域幅使用割合が前記第１帯域幅使用割合より低く、かつ、前記第２自律システムが前記トラフィックを引き受けるのに利用できる帯域幅を有するとき、前記第１自律システムから前記第２自律システムにトラフィックを移動させる工程を含む、請求項１１に記載の方法。
【請求項１３】
前記関連付け工程は、前記宛先プレフィックスに関連付ける新規な不透明ラベルを選択することによって第１自律システムから第２自律システムにトラフィックを移動させる工程を含み、前記新規な不透明ラベルは、前記第２自律システムに接続されている前記ネットワーク機器の出口インターフェースに対応している、請求項７に記載の方法。
【請求項１４】
送信ネットワークトラフィックの前記監視は、前記ネットワーク機器に接続されている前記ホストサーバから届くトラフィック・カテゴリを判定する工程を含み、
前記関連付け工程は、
前記不透明ラベルを前記ホストサーバに特有の前記宛先プレフィックスに関連付ける工程と、
前記トラフィック・カテゴリに基づいて、第１自律システムから第２自律システムにト
ラフィックを移動させる工程であって、前記第２自律システムは、前記第１自律システムより低いレイテンシを有する、工程とを含む、請求項７に記載の方法。
【請求項１５】
ネットワーク・ファブリック・システムであって、
１つのネットワーク・ファブリックと１つ以上の隣接する自律システムとの間を相互接続し、前記１つ以上の隣接する自律システムに接続されている出口ポートを有するネットワーク機器と、
前記ネットワーク機器に結合されているホストサーバと、
サービスモジュールを記憶している非一時的メモリと、
前記サービスモジュールを実行する１つ以上のプロセッサであって、前記サービスモジュールは、
前記ネットワーク機器に結合され、プレフィックスエントリを収集するよう構成されている経路収集モジュールであって、前記プレフィックスエントリの各々は、前記ネットワーク機器の出口ポートを通じて接続された自律システムに関連付けられている、経路収集モジュールと、
不透明ラベルを前記プレフィックスエントリにおいて識別されているプレフィックスに関連付けるよう構成されているトラフィック・エンジニアリング・モジュールであって、前記不透明ラベルは、前記出口ポートに関連付けられている、トラフィック・エンジニアリング・モジュールとを含む、１つ以上のプロセッサとを備え、
前記ホストサーバは前記不透明ラベルに関連付けられている前記プレフィックスからのコンテンツ要求に基づいて前記不透明ラベルを送信ＩＰパケットに割り当てるように構成されており、
前記ネットワーク機器は前記送信ＩＰパケットを、前記トラフィック・エンジニアリング・モジュールに応じて前記送信ＩＰパケットの前記不透明ラベルと一致している前記出口ポートを通じて転送するように構成されている、システム。
【請求項１６】
前記トラフィック・エンジニアリング・モジュールは、前記ネットワーク・ファブリックにおけるネットワーク条件の成立に基づいて、前記プレフィックスに関連付けられている前記不透明ラベルを変更するよう構成されている、請求項１５に記載のシステム。
【請求項１７】
プレフィックス記憶装置をさらに備え、前記経路収集モジュールは、前記プレフィックスエントリを前記プレフィックス記憶装置に記憶しており、前記プレフィックスエントリは、ローカルの完全なインターネット・ルーティング・テーブルを含む、請求項１５に記載のシステム。
【請求項１８】
前記サービスモジュールは、トラフィック・サンプリング・モジュールを含み、前記トラフィック・サンプリング・モジュールは、前記ホストサーバに結合されており、前記プレフィックスエントリに送信した前記ホストサーバからの送信トラフィックをサンプリングするよう構成されている、請求項１５に記載のシステム。
【請求項１９】
前記サービスモジュールは、データ集約モジュールを含み、前記データ集約モジュールは、前記トラフィック・サンプリング・モジュールに結合されており、前記プレフィックスエントリの各プレフィックスとサンプリングされたトラフィックとを対にして、どれだけのデータが各プレフィックスに送信されるかを判定し、ネットワーク条件が満たされているか否かを判定するよう構成されており、
前記トラフィック・エンジニアリング・モジュールは、前記ネットワーク条件が満たされているとき、異なる不透明ラベルを前記プレフィックスに関連付けるよう構成されている、請求項１８に記載のシステム。
【請求項２０】
前記サービスモジュールは、１以上の前記隣接する自律システムの各々にどれだけのデ
ータが送信されるかを判定するよう構成されているネットワーク・モニタ・モジュールを含み、
前記トラフィック・エンジニアリング・モジュールは、１以上の前記隣接する自律システムの各々にどれだけのデータが送信されるかに基づいて前記不透明ラベルを選択するよう構成されている、請求項１５に記載のシステム。
【手続補正２】
【補正対象書類名】明細書
【補正対象項目名】発明の名称
【補正方法】変更
【補正の内容】
【発明の名称】サーバ管理されたルーティングのシステムおよび方法